(57)【要約】【課題】より嗜好性に富んだ音質の音を出力することができるスピーカシステムを実現する。【解決手段】スピーカシステム１００は、複数のスピーカ（第１スピーカ３２ａ、第２スピーカ３２ｂ）を備えており、チューナ回路２から入力される音声信号における特定周波数部分を調整して、各スピーカ毎に出力する音の音質を切り替えることができるので、例えば、ニュース番組を視聴する場合には、言語が明瞭に聞き取れる音声モードに切り替えたり、また、音楽番組を視聴する場合には、迫力や臨場感のある音楽モードに切り替えたりするなど、その番組のコンテンツに適した様々な音質に切り替えて、より嗜好性に富んだ音質の音を出力することを可能にした。【選択図】図２
2008103947.tif 000002
【特許請求の範囲】
【請求項１】
所定の信号源から入力される音声信号に応じた音を出力するスピーカを複数備えるスピーカシステムであって、
前記音声信号に対応する音声ジャンルに関する制御データを予め記憶する記憶手段と、
前記音声信号に対応する音声ジャンルを判断する判断手段と、
前記音声信号における特定周波数部分を調整して、各スピーカ毎に出力する音の音質を切り替える音質切替手段と、
を備え、
前記音質切替手段は、前記判断手段により判断された音声ジャンルに関連つけられて前記記憶手段に記憶されている制御データに基づき、各スピーカ毎に出力する音の音質を切り替えることを特徴とするスピーカシステム。
【請求項２】
所定の信号源から入力される音声信号に応じた音を出力するスピーカを複数備えるスピーカシステムであって、
前記音声信号における特定周波数部分を調整して、各スピーカ毎に出力する音の音質を切り替える音質切替手段を備えることを特徴とするスピーカシステム。
【請求項３】
前記音声信号に対応する音声ジャンルに関する制御データを予め記憶する記憶手段を備え、
前記音質切替手段は、前記記憶手段に記憶されている制御データに従って、各スピーカ毎に出力する音の音質を切り替えることを特徴とする請求項２に記載のスピーカシステム。
【請求項４】
前記音声信号に対応する音声ジャンルを判断する判断手段を備え、
前記音質切替手段は、前記判断手段により判断された音声ジャンルに関連つけられて前記記憶手段に記憶されている制御データに基づき、各スピーカ毎に出力する音の音質を切り替えることを特徴とする請求項３に記載のスピーカシステム。
【発明の詳細な説明】
【技術分野】
【０００１】
本発明は、スピーカシステムに関する。
【背景技術】
【０００２】
従来、様々な映像コンテンツを視聴するための映像表示装置に、複数（例えば、３つや４つ、６つ等）のスピーカを配設することによって、映像とともに臨場感のある音声や、迫力のある音声を楽しむことを可能にした映像表示装置が知られている（例えば、特許文献１〜４参照。）。
【特許文献１】再表２００３／７９７１８号公報
【特許文献２】特開２００５−１７５７７１号公報
【特許文献３】特開平７−２２２２７８号公報
【特許文献４】特開平５−１０３２８７号公報
【発明の開示】
【発明が解決しようとする課題】
【０００３】
しかしながら、上記従来技術の場合、装置に備えられている複数のスピーカは、低音域用スピーカ（ウーハ）と中高音域用スピーカ（ツイータ）との組み合わせなどであって、その装置に固有のスピーカシステムとなっているので、所定の音質の音を楽しむことはできるものの、例えば、クラッシク音楽番組と、ポピュラー音楽番組とを、同じ音質の音で視聴しなければならず、必ずしもユーザの嗜好性を満足させてはいなかった。
【０００４】
本発明の目的は、より嗜好性に富んだ音質の音を出力することができるスピーカシステムを提供することである。
【課題を解決するための手段】
【０００５】
以上の課題を解決するため、請求項１に記載の発明は、
所定の信号源から入力される音声信号に応じた音を出力するスピーカを複数備えるスピーカシステムであって、
前記音声信号に対応する音声ジャンルに関する制御データを予め記憶する記憶手段と、
前記音声信号に対応する音声ジャンルを判断する判断手段と、
前記音声信号における特定周波数部分を調整して、各スピーカ毎に出力する音の音質を切り替える音質切替手段と、
を備え、
前記音質切替手段は、前記判断手段により判断された音声ジャンルに関連つけられて前記記憶手段に記憶されている制御データに基づき、各スピーカ毎に出力する音の音質を切り替えることを特徴とする。
【０００６】
請求項２に記載の発明は、
所定の信号源から入力される音声信号に応じた音を出力するスピーカを複数備えるスピーカシステムであって、
前記音声信号における特定周波数部分を調整して、各スピーカ毎に出力する音の音質を切り替える音質切替手段を備えることを特徴とする。
【０００７】
請求項３に記載の発明は、請求項２に記載のスピーカシステムにおいて、
前記音声信号に対応する音声ジャンルに関する制御データを予め記憶する記憶手段を備え、
前記音質切替手段は、前記記憶手段に記憶されている制御データに従って、各スピーカ毎に出力する音の音質を切り替えることを特徴とする。
【０００８】
請求項４に記載の発明は、請求項３に記載のスピーカシステムにおいて、
前記音声信号に対応する音声ジャンルを判断する判断手段を備え、
前記音質切替手段は、前記判断手段により判断された音声ジャンルに関連つけられて前記記憶手段に記憶されている制御データに基づき、各スピーカ毎に出力する音の音質を切り替えることを特徴とする。
【発明の効果】
【０００９】
請求項１に記載の発明によれば、スピーカシステムは、複数のスピーカを備えており、所定の信号源から入力される音声信号における特定周波数部分を調整して、各スピーカ毎に出力する音の音質を切り替えることができる。つまり、スピーカシステムは、音声信号における特定周波数部分を調整して、各スピーカ毎に出力する音の音質を切り替えることができるので、例えば、ニュース番組を視聴する場合には、言語が明瞭に聞き取れる音声モードに切り替えたり、また、音楽番組を視聴する場合には、迫力や臨場感のある音楽モードに切り替えたりするなど、その番組のコンテンツに適した様々な音質に切り替えることが可能であり、より嗜好性に富んだ音質の音を出力することできる。そして、ユーザは視聴するコンテンツ（番組）に最適な音質の音で、そのコンテンツを楽しむことが可能になる。
【００１０】
そして、スピーカシステムは、音声信号に対応する音声ジャンルに関する制御データを予め記憶する記憶手段を備えており、その記憶手段に記憶されている制御データに従って各スピーカ毎に出力する音の音質を切り替えることができるので、所望する音質の音をスピーカから出力させるための制御データを記憶手段に格納することによって、スピーカシステムは、ユーザが所望する音質の音など様々な音質の音の出力が可能になる。
特に、スピーカシステムは、所定の信号源から入力される音声信号に対応する音声ジャンルを判断することができ、その判断した音声ジャンルに関連つけられて記憶手段に記憶されている制御データに基づき、各スピーカ毎に出力する音の音質を切り替えることができるので、スピーカシステムは、例えば、音声信号に含まれている識別データ（例えば、ＥＰＧデータ）に基づき、その音声信号に対応する音声ジャンルに関する制御データを記憶手段から選択するようにして取得して、その取得した制御データに基づき最適な音質の音を自動的に各スピーカから出力することができる。
【００１１】
請求項２に記載の発明によれば、スピーカシステムは、複数のスピーカを備えており、所定の信号源から入力される音声信号における特定周波数部分を調整して、各スピーカ毎に出力する音の音質を切り替えることができる。
つまり、スピーカシステムは、音声信号における特定周波数部分を調整して、各スピーカ毎に出力する音の音質を切り替えることができるので、例えば、ニュース番組を視聴する場合には、言語が明瞭に聞き取れる音声モードに切り替えたり、また、音楽番組を視聴する場合には、迫力や臨場感のある音楽モードに切り替えたりするなど、その番組のコンテンツに適した様々な音質に切り替えることができ、より嗜好性に富んだ音質の音を出力することできる。
そして、ユーザは、視聴するコンテンツ（番組）に最適な音質の音で、そのコンテンツを楽しむことが可能になる。
【００１２】
請求項３に記載の発明によれば、請求項２に記載の発明と同様の効果が得られることは無論のこと、スピーカシステムは、音声信号に対応する音声ジャンルに関する制御データを予め記憶する記憶手段を備えているので、その記憶手段に記憶されている制御データに従って、各スピーカ毎に出力する音の音質を切り替えることができる。
つまり、所望する音質の音をスピーカから出力させるための制御データを記憶手段に格納することによって、スピーカシステムは、ユーザが所望する音質の音など様々な音質の音の出力が可能になる。
【００１３】
請求項４に記載の発明によれば、請求項３に記載の発明と同様の効果が得られることは無論のこと、スピーカシステムは、所定の信号源から入力される音声信号に対応する音声ジャンルを判断することができ、その判断した音声ジャンルに関連つけられて記憶手段に記憶されている制御データに基づき、各スピーカ毎に出力する音の音質を切り替えることができる。
つまり、スピーカシステムは、例えば、音声信号に含まれている識別データ（例えば、ＥＰＧデータ）に基づき、その音声信号に対応する音声ジャンルに関する制御データを記憶手段から選択するようにして取得して、その取得した制御データに基づき最適な音質の音を自動的に各スピーカから出力することができる。
【発明を実施するための最良の形態】
【００１４】
以下に、本発明に係るスピーカシステムについて、図面を用いて具体的な態様を説明する。ただし、発明の範囲は図示例に限定されない。
なお、本実施の形態においては、本発明に係るスピーカシステムをテレビジョン受信装置に適用した場合を例に挙げて説明する。
図１はスピーカシステム１００を備えるテレビジョン受信装置１０を示す外観斜視図であり、図２はそのテレビジョン受信装置１０の要部構成を示すブロック図である。
【００１５】
テレビジョン受信装置１０は、図２に示すように、所望のチャンネルに対応する周波数帯域に存在する放送信号を、アンテナ１を介して受信するチューナ回路２と、チューナ回路２により受信された放送信号から音声信号と映像信号を取り出すコントロール部３と、コントロール部３により取り出された音声信号に基づく音を出力するスピーカシステム１００と、コントロール部３により取り出された映像信号に基づく映像を表示するモニタ４と、音声信号に関する音声ジャンルに対応する制御データを予め記憶する記憶手段としてのＥＥＰＲＯＭ５と、リモコン１１と通信を行うための赤外線受光部６等を備えている。
【００１６】
また、スピーカシステム１００は、第１アンプ３１ａと、第１アンプ３１ａに接続される第１スピーカ３２ａ，３２ａと、第２アンプ３１ｂと、第２アンプ３１ｂに接続される第２スピーカ３２ｂ，３２ｂと、を備えている。
このスピーカシステム１００における第１アンプ３１ａと第２アンプ３１ｂの周波数特性は異なるものであって、例えば、図３に示すように、第１アンプ３１ａの出力の基準レベルより、第２アンプ３１ｂの出力の基準レベルが低く（例えば、４ｄＢ低く）設定されている。一方、高域や低域のレベルは同じ周波数で同じレベルとされているので、第１アンプ３１ａと第２アンプ３１ｂの互いのブースト量が異なることとなって、この場合、第１アンプ３１ａより第２アンプ３１ｂのブースト量が大きくなるので、第２アンプ３１ｂによるスピーカ出力の迫力を増大することが可能になる。
【００１７】
なお、図１に示すように、スピーカシステム１００の第１スピーカ３２ａと第２スピーカ３２ｂとは、テレビジョン受信装置１０の左右にそれぞれ配設されている。つまり、このスピーカシステム１００は、所定の信号源であるチューナ回路２から入力される音声信号に応じた音を出力する４つのスピーカを備えている。
【００１８】
チューナ回路２は、アンテナ１を介して所望の選局周波数に応じた放送信号を受信可能であり、受信した放送信号を増幅するなどしてコントロール部３に出力する。
このチューナ回路２は、受信可能な多くのチャンネルの放送に関する複数の放送信号のうち、リモコン１１などから入力されたチャンネルに応じた放送信号を選択するようにして放送番組を切り替える選局処理を行う。
【００１９】
コントロール部３は、例えば、各種の処理や制御を実行するＣＰＵと、各種の処理や制御を実行するためのプログラムや様々なデータが記憶されたＲＯＭと、各種処理データを格納して各種処理の作業領域となるＲＡＭ等を備えている。
コントロール部３は、リモコン１１が操作されたことに伴うチャンネル信号や、テレビ本体の図示しないチャンネルボタンが操作されたことに伴うチャンネル信号に基づき、所定のチャンネルを選局して、選局されたチャンネルの周波数に応じた放送信号をチューナ回路２に受信させる処理を実行する。
また、コントロール部３は、チューナ回路２により受信された放送信号から音声信号と映像信号を取り出す処理を実行する。
【００２０】
そして、コントロール部３は、放送信号における音声信号を、スピーカシステム１００の第１アンプ３１ａと第２アンプ３１ｂに出力する処理を実行し、スピーカシステム１００の一部として機能する。
また、コントロール部３は、放送信号における映像信号をモニタ４に出力する処理を実行する。
【００２１】
特に、コントロール部３は、所定の信号源であるチューナ回路２から入力される音声信号に対応する音声ジャンルを判断する判断手段として機能する。
具体的には、判断手段としてのコントロール部３は、音声信号に含まれている番組表データ（ＥＰＧデータ）に基づき、その音声信号に対応する音声ジャンルが、例えば、標準音声モードの一般音声ジャンルか、音楽モードのポピュラージャンル、ジャズジャンル、クラッシックジャンルなどであるか判断する制御を実行する。
【００２２】
また、コントロール部３は、入力された音声信号における特定周波数部分を調整して、各スピーカ毎に出力する音の音質を切り替える音質切替手段として機能する。
例えば、音質切替手段としてのコントロール部３は、リモコン１１の操作パネルに設けられた図示しないボタンが押下されて操作されたことに伴う音声ジャンル切替信号に基づき、その音声ジャンル切替信号に関連つけられた制御データ（例えば、ＥＥＰＲＯＭ５に記憶されている制御データ）に応じて、音声信号における特定周波数部分を調整して、各スピーカ毎に出力する音の音質を切り替える制御を実行する。
また、音質切替手段としてのコントロール部３は、判断手段としてのコントロール部３により判断された音声ジャンルに関連つけられてＥＥＰＲＯＭ５に記憶されている制御データに基づき、各スピーカ毎に出力する音の音質を切り替える制御を実行する。
【００２３】
具体的には、音質切替手段としてのコントロール部３は、ＥＥＰＲＯＭ５に記憶されている制御データに基づき、図示しないイコライザにおいて、音声信号における特定の周波数をブーストしたりカットしたりする制御処理を実行することによって、音質を調整した音声信号であるコントロール信号を各アンプに出力するようにして、各スピーカ毎に出力する音の音質を切り替えるようになっている。
【００２４】
ＥＥＰＲＯＭ５は、音声信号に関する音声ジャンルや、様々な音出力モードに対応する制御データを予め記憶している。
具体的には、例えば、標準音声モードの一般音声ジャンルに対応する制御データとしては、音声信号の周波数特性がフラットにされた信号を第１アンプ３１ａに出力するための第１コントロールデータ（ＣＯＮＴ１）と、第２アンプ３１ｂの出力をオフにするための第２コントロールデータ（ＣＯＮＴ２）とが組み合わされて設定されている。この制御データによって、スピーカシステム１００は、特定の周波数出力を調節して音質を調整した標準的な音声であって明瞭な音声を第１スピーカ３２ａから出力することが可能になる。
また、例えば、音楽モードのポピュラージャンルに対応する制御データとしては、音声信号の周波数特性がフラットにされた信号を第１アンプ３１ａに出力するための第１コントロールデータ（ＣＯＮＴ１）と、音声信号の低音部／高音部が高レベルブーストされた信号を第２アンプ３１ｂに出力するためのる第２コントロールデータ（ＣＯＮＴ２）とが組み合わされて設定されている。この制御データによって、スピーカシステム１００は、特定の周波数出力を調節して音質を調整した、無難なレベル（一般レベル）のブーストによる臨場感重視の音声を、第１スピーカ３２ａと第２スピーカ３２ｂから出力することが可能になる。
また、例えば、音楽モードのジャズジャンルに対応する制御データとしては、音声信号の低音部が高レベルブースト、高音部が高レベルブーストされた信号を第１アンプ３１ａに出力するための第１コントロールデータ（ＣＯＮＴ１）と、音声信号の低音部が高レベルブースト、高音部が高レベルブーストされた信号を第２アンプ３１ｂに出力するための第２コントロールデータ（ＣＯＮＴ２）とが組み合わされて設定されている。この制御データによって、スピーカシステム１００は、特定の周波数出力を調節して音質を調整したＨｉＦｉ迫力サウンドの音声を、第１スピーカ３２ａと第２スピーカ３２ｂから出力することが可能になる。
また、例えば、音楽モードのクラッシックジャンルに対応する制御データとしては、音声信号の低音部が中レベルブースト、高音部が中レベルブーストされた信号を第１アンプ３１ａに出力するための第１コントロールデータ（ＣＯＮＴ１）と、音声信号の低音部が中レベルブースト、高音部が中レベルブーストされた信号を第２アンプ３１ｂに出力するための第２コントロールデータ（ＣＯＮＴ２）とが組み合わされて設定されている。この制御データによって、スピーカシステム１００は、特定の周波数出力を調節して音質を調整したＨｉＦｉ迫力サウンドと臨場感を重視した音声を、第１スピーカ３２ａと第２スピーカ３２ｂから出力することが可能になる。
また、例えば、音楽モードのダイナミックモードに対応する制御データとしては、音声信号の周波数特性がフラットにされた信号を第１アンプ３１ａに出力するための第１コントロールデータ（ＣＯＮＴ１）と、音声信号の周波数特性がフラットにされた信号を第２アンプ３１ｂに出力するための第２コントロールデータ（ＣＯＮＴ２）とが組み合わされて設定されている。この制御データによって、スピーカシステム１００は、特定の周波数出力を調節して音質を調整した迫力サウンドの音声を、第１スピーカ３２ａと第２スピーカ３２ｂから出力することが可能になる。
【００２５】
モニタ４は、例えば、液晶表示機器であり、アンテナ１を介してチューナ回路２が受信した放送信号における映像信号に応じた映像や画像を表示する。
【００２６】
赤外線受光部６は、リモコン１１の操作パネルに設けられた図示しないボタンが押下されて操作されたことに伴いリモコン１１が送出したリモコン信号を受光して、そのリモコン信号をコントロール部３に出力する。
【００２７】
そして、このような構成をとるテレビジョン受信装置１０は、チューナ回路２を介して受信した放送信号における音声信号の特定周波数部分を、所定の制御データに基づいて調整して、各スピーカ（第１スピーカ３２ａ、第２スピーカ３２ｂ）毎に出力する音の音質を切り替えることができるようになっており、より嗜好性に富んだ様々な音質の音を出力することができるようになっている。
【００２８】
具体的には、テレビジョン受信装置１０において受信した放送信号に応じた映像コンテンツを視聴する際に、音質切替手段としてのコントロール部３が、ＥＥＰＲＯＭ５に記憶されている音声ジャンルや音出力モードに対応する制御データに基づき、各スピーカ毎に出力する音の音質を切り替えることができる。
特に、音質切替手段としてのコントロール部３は、音声信号に含まれている番組表データ（ＥＰＧデータ）を参照して、その音声信号に対応する音声ジャンルに関する制御データに基づき、その映像コンテンツに最適な音質の音を自動的に各スピーカ（第１スピーカ３２ａ、第２スピーカ３２ｂ）から出力することができる。また、音質切替手段としてのコントロール部３は、ユーザによるリモコン１１の操作によって切り替えられるユーザ好みの音質の音を各スピーカから出力することができる。
つまり、テレビジョン受信装置１０において、ニュース番組などを視聴する場合には、標準音声モード（一般音声ジャンル）に応じた明瞭な音声の出力が行われ、また、音楽番組でクラッシックのオーケストラコンサートを視聴する場合には、音楽モードのクラッシックジャンルに応じた臨場感のある音声の出力が行われるなど、その視聴する番組に応じて適した音質の音であって、より嗜好性に富んだ音質の音を出力することが可能となっている。
そして、ユーザは、視聴する番組に最適な音質の音で、その番組（映像コンテンツ）を楽しむことが可能になっている。
【００２９】
以上のように、本発明に係るスピーカシステム１００を備えるテレビジョン受信装置１０であれば、第１スピーカ３２ａから出力する音の音質と、第２スピーカ３２ｂから出力する音の音質をそれぞれ異ならせるなど、様々な音質の組み合わせによる音声の出力が可能となっており、言語が明瞭に聞き取れる標準音声モードや、ジャズやクラッシックなどの音楽を好適に楽しむことができる音楽モードなど、様々な音質の音であって、より嗜好性に富んだ音質の音を出力することができるので、ユーザは所望する音質の音で様々な番組（映像コンテンツ）を楽しむことができる。
【００３０】
なお、以上の実施の形態においては、スピーカシステム１００をテレビジョン受信装置１０に適用した場合を例に挙げて説明したが、本発明はこれに限定されるものではなく、その他のＡＶ機器にスピーカシステムを適用してもよい。
また、スピーカの数も４つに限られることなく、左右３つずつの６つのスピーカを配設するなど、任意の数であってもよい。
【００３１】
また、その他、具体的な細部構造等についても適宜に変更可能であることは勿論である。
【図面の簡単な説明】
【００３２】
【図１】本発明に係るスピーカシステムを備えるテレビジョン受信装置を示す斜視図である。
【図２】本発明に係るスピーカシステムを備えるテレビジョン受信装置の要部構成を示すブロック図である。
【図３】スピーカシステムにおける第１アンプと第２アンプの周波数特性に関する説明図である。
【符号の説明】
【００３３】
２      チューナ回路（信号源）
３      コントロール部（判断手段、音質切替手段）
３１ａ  第１アンプ
３１ｂ  第２アンプ
３２ａ  第１スピーカ
３２ｂ  第２スピーカ
４      モニタ
５      ＥＥＰＲＯＭ（記憶手段）
１０    テレビジョン受信装置
１００  スピーカシステム
【図１】
2008103947.tif 000003
【図２】
2008103947.tif 000004
【図３】
2008103947.tif 000005